(57)【要約】【課題】フレキシブルホースに比して小型化が容易な充填ノズルでありながら、優れた位置ずれ吸収作用を発揮でき、しかも、充填中の樹脂ペレットから異物を除去できるようにする。【解決手段】サイロ２０内の樹脂ペレットを輸送用容器３０に充填するための充填ノズル１０であって、サイロ２０の排出口２１に接続される上部パーツ１１と、輸送用容器３０の充填口３１に接続される下部パーツ１２とを有し、上部パーツ１１が、サイロ２０の排出口２１から排出される樹脂ペレットを下部パーツ１２内に導く内筒１３と、内筒１３の外周を覆う外筒１４とを備え、下部パーツ１２が、前後方向、左右方向、上下方向及び傾き方向の動きが許容される状態で内筒１３と外筒１４との間の空間Ｓに挿入され、内筒１３から排出される樹脂ペレットを輸送用容器３０の充填口３１に導く可動筒１５を備える。【選択図】図１
2007161285.tif 000002
【特許請求の範囲】
【請求項１】
サイロ内の樹脂ペレットを輸送用容器に充填するための充填ノズルであって、
前記サイロの排出口に接続される上部パーツと、
前記輸送用容器の充填口に接続される下部パーツとを有し、
前記上部パーツが、
前記サイロの排出口から排出される樹脂ペレットを前記下部パーツ内に導く内筒と、
前記内筒の外周を覆う外筒とを備え、
前記下部パーツが、
前後方向、左右方向、上下方向及び傾き方向の動きが許容される状態で前記内筒と前記外筒との間の空間に挿入され、前記内筒から排出される樹脂ペレットを前記輸送用容器の充填口に導く可動筒を備える
ことを特徴とする充填ノズル。
【請求項２】
前記上部パーツが、
前記外筒内のエアを排気する排気ダクトを備える
ことを特徴とする請求項１記載の充填ノズル。
【請求項３】
サイロ内の樹脂ペレットを輸送用容器に充填するための樹脂ペレット充填システムであって、
請求項１又は２記載の充填ノズルを備える
ことを特徴とする樹脂ペレット充填システム。
【請求項４】
前記充填ノズルを収容するクリーンルームと、
前記クリーンルーム内にクリーンエアを吹き出すクリーンエア吹出手段と、
前記上部パーツの排気ダクトを介して、前記外筒内のエアを前記クリーンルーム外に排気する排気手段とを備える
ことを特徴とする請求項３記載の樹脂ペレット充填システム。
【請求項５】
前記輸送用容器の充填口とは別に設けられるクリーンエア投入口を介して、前記輸送用容器内にクリーンエアを投入するクリーンエア投入手段を備える
ことを特徴とする請求項３又は４記載の樹脂ペレット充填システム。
【請求項６】
サイロ内の樹脂ペレットを輸送用容器に充填するための樹脂ペレット充填方法であって、
請求項３〜５のいずれかに記載の樹脂ペレット充填システムを用い、
前記充填ノズルを介して、前記サイロの排出口と前記輸送用容器の充填口を連通させた後、
前記サイロ内の樹脂ペレットを前記輸送用容器に充填する
ことを特徴とする樹脂ペレット充填方法。
【請求項７】
前記クリーンルーム内に吹き出されるクリーンエアの風量（ａ）ｍ３／ｍｉｎと、
前記上部パーツの排気ダクトを介して、前記外筒内から前記クリーンルーム外に排気するエアの風量（ｂ）ｍ３／ｍｉｎと、
樹脂ペレットの充填量に応じて、前記輸送用容器の充填口から排出されるエアの風量（ｃ）ｍ３／ｍｉｎとの関係が
（ｃ）≦（ｂ）＜（ａ）
を満たす
ことを特徴とする請求項６記載の樹脂ペレット充填方法。
【請求項８】
前記クリーンルーム内に吹き出されるクリーンエアの風量（ａ）ｍ３／ｍｉｎと、
前記上部パーツの排気ダクトを介して、前記外筒内から前記クリーンルーム外に排気するエアの風量（ｂ）ｍ３／ｍｉｎと、
樹脂ペレットの充填量に応じて、前記輸送用容器の充填口から排出されるエアの風量（ｃ）ｍ３／ｍｉｎと、
前記クリーンエア投入口を介して、前記輸送用容器内に投入されるクリーンエアの風量（ｄ）ｍ３／ｍｉｎとの関係が
（ｃ）＋（ｄ）≦（ｂ）＜（ａ）
を満たす
ことを特徴とする請求項６又は７記載の樹脂ペレット充填方法。
【発明の詳細な説明】
【技術分野】
【０００１】
本発明は、サイロ等の貯蔵設備内の樹脂ペレットをローリ、コンテナなどの輸送用容器に充填するための充填ノズル、樹脂ペレット充填システム及び樹脂ペレット充填方法に関し、特に、低異物を要求されるポリカーボネート系樹脂ペレットなどの充填に好適な充填ノズル、樹脂ペレット充填システム及び樹脂ペレット充填方法に関する。
【背景技術】
【０００２】
低異物を要求される樹脂ペレットが知られている。例えば、光ディスク基板の材料として用いられる低異物ポリカーボネート系樹脂ペレットにあっては、サイロ、配管などの装置側から派生した金属粉、樹脂のペレット化工程（押出機から出たストランドを切断して粒状にする工程）で発生した樹脂切粉、樹脂ペレットを空送する際に配管壁との接触などにより発生する樹脂屑などの含有量を低減することが要求される。これは、当該樹脂ペレットで成形された光ディスク基板を有する光ディスクにおいて、レーザが光ディスク上に記録された情報を読み出す際、又は光ディスク上に情報を書き込む際に、レーザの透過を異物が阻害し、エラーを増加させるからである。特に、近年においては、光ディスクにおける記憶容量（記録密度）の増加に伴い、含有異物の低減に対する要求が益々厳しくなっている。
【０００３】
また、光ディスク製品の世界的な需要の増加に伴い、低異物ポリカーボネート系樹脂ペレットの生産量も増加し、その生産施設も大型化している。このような環境下、樹脂ペレットの輸送効率を向上させるために、ローリやコンテナの活用が提案されているが（例えば、特許文献１〜４参照）、光ディスク基板用の樹脂ペレットに適用する場合には、前述の異物についても十分に配慮しなければならない。
【特許文献１】特開平１１−２０８８９３号公報
【特許文献２】特開２０００−３５５４２６号公報
【特許文献３】特開２００１−２６１０９０号公報
【特許文献４】特開２００３−３３５３０５号公報
【発明の開示】
【発明が解決しようとする課題】
【０００４】
低異物を要求される樹脂ペレットをサイロ等の貯蔵設備内からローリ、コンテナなどの輸送用容器に充填する場合には、異物の混入を防止するために、クリーンルーム（クリーンブースを含む）のようなクリーン環境下で、輸送用容器に対するノズルやホースの接続が行われる。このとき、輸送用容器の接続口は、輸送車両の運転技術による停止位置のずれや車体間の寸法公差により、毎回、必ず同じ位置にくるとは限らない。このため、ノズルやホースは、前後、左右方向で±５０ｍｍ、上下方向で±１５０ｍｍ、傾き方向で±５°程度の位置ずれを許容できることが必要である。また、輸送用容器に対する樹脂ペレットの充填効率（速度）を向上させるためには、ノズルやホースの大口径化も不可欠である。
【０００５】
このような要求を満たすものとしては、ステンレス製のフレキシブルホースが知られている。しかしながら、ステンレス製のフレキシブルホースは、例えば、口径を１００ｍｍ（４インチ）とした場合、前後、左右方向で±５０ｍｍ、上下方向で±１５０ｍｍ、傾き方向で±５°程度の位置ずれを吸収するには、３ｍ以上の長さが必要になり、操作性を損なうだけでなく、クリーンルームが大型化するという問題がある。
また、フレキシブルホースの口径が１５０ｍｍ（６インチ）と大きくなると、ホースの重量が大きくなり、操作性はさらに悪くなる。
【０００６】
また、フレキシブルホースの内面と樹脂がこすれたときに、ホースに由来する異物が発生しないようにするには、ホース内壁を研磨したり、洗浄したりすることが必要になる。しかしながら、ホースをフレキシブルなものにするには、ホースを蛇腹状にするのが一般的であるが、蛇腹状のホース内壁を研磨したり、洗浄することは容易なことではない。
【０００７】
本発明は、上記の事情にかんがみなされたものであり、小型でありながら、優れた位置ずれ吸収作用を発揮できるだけでなく、充填中の樹脂ペレットから異物を除去できる充填ノズル、樹脂ペレット充填システム及び樹脂ペレット充填方法の提供を目的とする。
【課題を解決するための手段】
【０００８】
上記目的を達成するため本発明の充填ノズルは、サイロ内の樹脂ペレットを輸送用容器に充填するための充填ノズルであって、前記サイロの排出口に接続される上部パーツと、前記輸送用容器の充填口に接続される下部パーツとを有し、前記上部パーツが、前記サイロの排出口から排出される樹脂ペレットを前記下部パーツ内に導く内筒と、前記内筒の外周を覆う外筒とを備え、前記下部パーツが、前後方向、左右方向、上下方向及び傾き方向の動きが許容される状態で前記内筒と前記外筒との間の空間に挿入され、前記内筒から排出される樹脂ペレットを前記輸送用容器の充填口に導く可動筒を備える構成としてある。
【０００９】
このようにすると、フレキシブルホースに比して小型化が容易な充填ノズルでありながら、可動筒の前後方向、左右方向、上下方向、すなわち、Ｘ，Ｙ，Ｚの各軸方向への独立した動きと、傾き方向の動きが可能となり、優れた位置ずれ吸収作用を発揮できる。例えば、長さ寸法が２ｍ程度であっても、前後、左右方向で±５０ｍｍ、上下方向で±１５０ｍｍ、傾き方向で±５°程度の位置ずれを吸収することが可能になる。
【００１０】
しかも、このように構成された充填ノズルでは、上部パーツと下部パーツとの間に形成される空間を利用し、充填中の樹脂ペレットから、樹脂ペレット特有の切粉や樹脂屑等の異物を除去することができる。例えば、樹脂ペレットの充填量に応じて輸送用容器の充填口から排出されるエアを、上記の空間を介して排気することによって、排気中に含まれる異物（樹脂切粉や樹脂屑等）の分だけ異物含有量を低減させることが可能になる。
【００１１】
また、本発明の充填ノズルは、前記上部パーツが、前記外筒内のエアを排気する排気ダクトを備える構成とすることができる。
このようにすると、排気ダクトに吸引ユニットを接続し、異物が含まれるエアを充填ノズル内から積極的に排気することができる。
【００１２】
また、本発明の樹脂ペレット充填システムは、サイロ内の樹脂ペレットを輸送用容器に充填するための樹脂ペレット充填システムであって、上記の充填ノズルを備える構成としてある。
このようにすると、優れた位置ずれ吸収作用を要求する樹脂ペレット充填システムであっても、フレキシブルホースに比して小型な充填ノズルを用いることができるので、クリーンルームの大型化などを回避し、樹脂ペレット充填システムのコスト低減と、操作性の向上を図ることができる。
しかも、上記の充填ノズルは、上部パーツと下部パーツとの間に形成される空間を利用し、充填中の樹脂ペレットから異物を除去できるので、輸送用容器に充填される樹脂ペレットの異物含有量を低減させることが可能になる。
【００１３】
また、本発明の樹脂ペレット充填システムは、前記充填ノズルを収容するクリーンルームと、前記クリーンルーム内にクリーンエアを吹き出すクリーンエア吹出手段と、前記上部パーツの排気ダクトを介して、前記外筒内のエアを前記クリーンルーム外に排気する排気手段とを備える構成とすることができる。
このようにすると、充填ノズルの周囲を清浄な状態に保ち、充填ノズル内や輸送用容器内への異物の混入を防止できる。しかも、上部パーツの排気ダクトを介して、外筒内のエアをクリーンルーム外に排気するので、充填中の樹脂ペレットに含まれる異物を積極的に除去できるだけでなく、異物が含まれるエアがクリーンルーム内に排気される不都合を回避できる。
【００１４】
また、本発明の樹脂ペレット充填システムは、前記輸送用容器の充填口とは別に設けられるクリーンエア投入口を介して、前記輸送用容器内にクリーンエアを投入するクリーンエア投入手段を備える構成とすることができる。
このようにすると、充填口の開閉操作や、充填口に対する充填ノズルの接続操作に際し、輸送用容器にクリーンエアを投入して輸送容器内を正圧に保つことにより、充填口からエアを吹き出させ、外来異物の落下・混入及び外気の混入を防止できる。
また、充填中の輸送用容器にクリーンエアを投入するようにすれば、樹脂切粉や樹脂屑のような軽量な異物を、エアとともに充填口から積極的に排出することができるので、輸送用容器に充填される樹脂ペレットの異物含有量をより一層低減できる。
【００１５】
また、本発明の樹脂ペレット充填方法は、サイロ内の樹脂ペレットを輸送用容器に充填するための樹脂ペレット充填方法であって、上記の樹脂ペレット充填システムを用い、前記充填ノズルを介して、前記サイロの排出口と前記輸送用容器の充填口を連通させた後、前記サイロ内の樹脂ペレットを前記輸送用容器に充填する方法としてある。
このようにすると、輸送用容器の位置ずれを充填ノズルで吸収し、充填ノズルと輸送用容器の接続が容易になるだけでなく、上部パーツと下部パーツとの間に形成される空間を利用し、充填中の樹脂ペレットから樹脂切粉や樹脂屑のような軽量な異物を除去することができる。
【００１６】
また、本発明の樹脂ペレット充填方法は、前記クリーンルーム内に吹き出されるクリーンエアの風量（ａ）ｍ３／ｍｉｎと、前記上部パーツの排気ダクトを介して、前記外筒内から前記クリーンルーム外に排気するエアの風量（ｂ）ｍ３／ｍｉｎと、樹脂ペレットの充填量に応じて、前記輸送用容器の充填口から排出されるエアの風量（ｃ）ｍ３／ｍｉｎとの関係が
（ｃ）≦（ｂ）＜（ａ）
を満たす方法とすることが好ましい。
このようにすると、充填中に輸送用容器の充填口から排出されるエア（樹脂ペレットの充填量に応じた量のエア）をクリーンルーム外に確実に排気できるだけでなく、クリーンルーム内を正圧に保ち、接続用開口部からクリーンルーム内への外気の流入を防止できる。
【００１７】
また、本発明の樹脂ペレット充填方法は、前記クリーンルーム内に吹き出されるクリーンエアの風量（ａ）ｍ３／ｍｉｎと、前記上部パーツの排気ダクトを介して、前記外筒内から前記クリーンルーム外に排気するエアの風量（ｂ）ｍ３／ｍｉｎと、樹脂ペレットの充填量に応じて、前記輸送用容器の充填口から排出されるエアの風量（ｃ）ｍ３／ｍｉｎと、前記クリーンエア投入口を介して、前記輸送用容器内に投入されるクリーンエアの風量（ｄ）ｍ３／ｍｉｎとの関係が
（ｃ）＋（ｄ）≦（ｂ）＜（ａ）
を満たす方法とすることが好ましい。
このようにすると、充填中に輸送用容器の充填口から排出されるエア（樹脂ペレットの充填量と、輸送用容器内に投入されるクリーンエアに相当する量のエア）をクリーンルーム外に確実に排気できるだけでなく、クリーンルーム内を正圧に保ち、接続用開口部からクリーンルーム内への外気の流入を防止できる。
【発明の効果】
【００１８】
以上のように、本発明によれば、フレキシブルホースに比して小型化が容易な充填ノズルでありながら、可動筒の前後方向、左右方向、上下方向、すなわち、Ｘ，Ｙ，Ｚの各軸方向への独立した動きと、傾き方向の動きが可能となり、傾き方向の動きにより、優れた位置ずれ吸収作用を発揮できる。その結果、クリーンルームの大型化などを回避し、樹脂ペレット充填システムのコスト低減と、操作性の向上を図ることができる。
しかも、上部パーツと下部パーツとの間に形成される空間を利用し、充填中の樹脂ペレットから異物を除去できるので、輸送用容器に充填される樹脂ペレットの異物含有量を低減させることが可能になる。
【発明を実施するための最良の形態】
【００１９】
以下、本発明の実施形態について、図面を参照して説明する。
【００２０】
［充填ノズル］
まず、本発明の実施形態に係る充填ノズルについて、図１及び図２を参照して説明する。
図１の（ａ）は本発明の実施形態に係る充填ノズルの正面図、図１の（ｂ）は本発明の実施形態に係る充填ノズルの上部パーツを示す一部断面正面図、図１の（ｃ）は本発明の実施形態に係る充填ノズルの下部パーツを示す一部断面正面図、図２の（ａ）は本発明の実施形態に係る充填ノズルの位置ずれ吸収作用（左右方向及び上下方向）を示す正面図、図２の（ｂ）は本発明の実施形態に係る充填ノズルの位置ずれ吸収作用（傾き方向）を示す正面図である。
【００２１】
図１に示される充填ノズル１０は、サイロ内の樹脂ペレットを輸送用容器に充填するためのものであって、サイロの排出口に接続される上部パーツ１１と、輸送用容器の充填口に接続される下部パーツ１２とを備えて構成されている。
上部パーツ１１は、内筒１３と外筒１４を備える二重筒構造であり、内筒１３の上端部をサイロの排出口に接続すると、サイロの排出口から排出される樹脂ペレットが内筒１３の内周に沿って下部パーツ１２内まで導かれる。
外筒１４は、所定の空間Ｓを介して、内筒１３の外周を覆っている。空間Ｓの上方は、外筒１４の上端部に形成される内向きのフランジ、又は内筒１３に形成される外向きのフランジによって覆蓋されるが、空間Ｓの下方は、開口状態となっている。
【００２２】
下部パーツ１２は、下端側に傾斜段部が形成された漏斗状の可動筒１５を備えており、充填時には、その下端部を輸送用容器の充填口に接続することにより、内筒１３から排出される樹脂ペレットが可動筒１５の漏斗状の下端部を通って輸送用容器の充填口に導かれる。可動筒１５は、内筒１３よりも大径で、かつ、外筒１４よりも小径であり、前後方向、左右方向、上下方向、すなわち、Ｘ，Ｙ，Ｚの各軸方向への独立した動きと、傾き方向の動きが可能となる状態で内筒１３と外筒１４との間の空間Ｓに下方から挿入され、融通性のある支持機構、例えば、フレキシブルなチェーン１７による吊持機構を介して上部パーツ１１で支持されている。
【００２３】
このようにすると、フレキシブルホースに比してコンパクト化が容易な充填ノズル１０でありながら、図２に示すように、可動筒１５の前後方向、左右方向、上下方向及び傾き方向の動きにより、優れた位置ずれ吸収作用を発揮し、輸送用容器との接続を容易に行うことができる。例えば、内筒１３の外径寸法を１０１．６ｍｍ、内径寸法を９５ｍｍとし、外筒１４の外径寸法を４００ｍｍ、内径寸法を３９４ｍｍとし、可動筒１５の外径寸法を２５０ｍｍ、内径寸法を２４４ｍｍとした場合、長さ寸法（高さ寸法）が２ｍ程度の充填ノズル１０であっても、前後、左右方向で±５０ｍｍ、上下方向で±１５０ｍｍ、傾き方向で±５°程度の位置ずれを吸収することが可能になる。
【００２４】
また、このように構成された充填ノズル１０によれば、上部パーツ１１と下部パーツ１２との間に形成される空間Ｓを利用し、充填中の樹脂ペレットから異物を除去することができる。例えば、樹脂ペレットの充填量に応じて、輸送用容器の充填口から排出されるエアを、空間Ｓを介して排気すれば、この排気に含まれる異物（樹脂切粉や樹脂屑等）の分だけ異物含有量を低減させることが可能になる。
このような排気を行う場合、上部パーツ１１には、外筒１４内のエアを排気する排気ダクト１６を設け、排気ダクト１６に吸引ユニットを接続し、異物が含まれるエアを充填ノズル１０内から積極的に排気することにより、より好ましい異物除去効果を発揮させることができる。
【００２５】
［樹脂ペレット充填システム］
つぎに、本発明の実施形態に係る樹脂ペレット充填システムについて、図３を参照して説明する。
図３は、本発明の実施形態に係る樹脂ペレット充填システムの全体構成を示す説明図である。
この図に示される樹脂ペレット充填システムは、サイロ２０内の樹脂ペレットを輸送用容器３０に充填するためのシステムであって、前述した充填ノズル１０と、充填ノズル１０を収容するクリーンブース（クリーンルーム）４０と、クリーンブース４０内にクリーンエアを吹き出すクリーンエア吹出装置（クリーンエア吹出手段）５０と、上部パーツ１１の排気ダクト１６を介して、外筒１４内のエアをクリーンブース４０の外に排気する排気ユニット（充填ノズル排気手段）６０とを備えて構成されている。
【００２６】
サイロ２０は、低異物ポリカーボネート系樹脂ペレットなどの樹脂ペレットを貯溜しており、下端部に形成される排出口２１から樹脂ペレットの排出を行う。
輸送用容器３０は、車両による運搬が可能なローリやコンテナであり、本実施形態では、ダンプアップ可能なローリを輸送用容器３０として使用する。
ローリからなる輸送用容器３０は、充填時にダンプアップが行われる。そして、この輸送用容器３０は、ダンプアップ側となる前端側上部に充填口３１を有し、当該充填口３１は防塵キャップ３２によって覆われている。この防塵キャップ３２は、輸送用容器３０のダンプアップの前又は後に取り外される。
なお、充填時に輸送用容器をダンプアップせず、水平状態で充填するローリもあるが、この場合、充填効率を上げるためには、輸送用容器に複数の充填口を設けて複数回充填するか、充填ノズルを複数個設けて一気に充填する必要がある。このため、作業が煩雑になるとともに、充填口の開閉、充填ノズルの接続・脱着のたびに外来異物混入の機会が増えてしまい、好ましい形態ではなかった。
【００２７】
クリーンブース４０は、輸送用容器３０を収容する空間の上方階、例えば、樹脂ペレット充填システムが構築される建造物の二階部分に設けられる。クリーンブース４０の天井部には、サイロ２０の排出口２１に接続された充填ノズル１０が吊持され、クリーンブース４０の床部には、充填ノズル１０を輸送用容器３０の充填口３１に接続するための接続用開口部４１が形成されている。
クリーンエア吹出装置５０は、例えば、クリーンブース４０の天井裏に設けられたファンユニットで構成され、当該ファンユニットが備えるプレフィルタやＨＥＡＰフィルタ（０．３μｍ以上の浮遊微粒子を９９．９７％捕集可能）、より好ましくは、ＵＬＰＡフィルタで濾過された外気（クリーンエア）が天井部からクリーンブース４０内に吹き出される。
排気ユニット６０は、例えば、排気ダクト１６に接続されるクリーン配管６１を介して、外筒１４内のエアをクリーンブース４０の外まで吸引する吸引ユニットを用いて構成される。
【００２８】
上記のように構成された樹脂ペレット充填システムによれば、サイロ２０内の樹脂ペレットを、充填ノズル１０を介して輸送用容器３０に充填するにあたり、充填ノズル１０の周囲を清浄な状態に保ち、充填ノズル１０内や輸送用容器３０内への異物の混入を防止できる。しかも、上部パーツ１１の排気ダクト１６を介して、外筒１４内のエアをクリーンブース４０の外に排気するので、充填中の樹脂ペレットに含まれる異物を積極的に除去できるだけでなく、異物が含まれるエアがクリーンブース４０内に排気され、内部が汚染される不都合も回避できる。
【００２９】
また、上記の樹脂ペレット充填システムにおいては、充填口３１とは別に設けられるクリーンエア投入口３３を介して、輸送用容器３０内にクリーンエアを投入するクリーンエア投入装置７０を備えることが好ましい。クリーンエア投入装置７０は、例えば、ＨＥＰＡフィルタを備えた不図示のクリーンエア供給手段（コンプレッサユニット又はブロア）と、クリーンエア投入口３３に接続可能なカップラ７１と、カップラ７１とクリーンエア供給手段を繋ぐクリーンエア投入ライン（耐圧ＰＶＣホース）７２とを備えて構成される。
このようなクリーンエア投入装置７０を備えると、充填口３１の開閉操作や、充填口３１に対する充填ノズル１０の接続操作に際し、輸送用容器３０にクリーンエアを投入することにより、充填口３１からエアを吹き出させ、異物の落下、混入及び外気の混入を防止できる。
また、充填中の輸送用容器３０にクリーンエアを投入するようにすれば、樹脂ペレット中に含まれる切粉や樹脂屑のような微粉体状異物をエアとともに充填口３１から積極的に排出させることができるので、輸送用容器３０に充填される樹脂ペレットの異物含有量をより一層低減できる。
【００３０】
また、樹脂ペレット充填システムには、サンプリングノズル８０やクリーンエアガン９０を設けてもよい。
サンプリングノズル８０は、輸送用容器３０への充填前に、サイロ２０に貯溜された樹脂ペレットをサンプリングして、その品質を確認するためのものであり、配管８１を介してサイロ２０に繋がれている。
クリーンエアガン９０は、輸送用容器３０の充填口３１を開ける前に、充填口３１や防塵キャップ３２の周りに付着した粉塵を吹き飛ばし、清掃・除去するためのものであり、クリーンエア投入ライン（例えば、耐圧ＰＶＣホース）９１を介してクリーンエア供給手段に（図示せず）に繋がれている。
【００３１】
［樹脂ペレット充填方法］
つぎに、本発明の実施形態に係る樹脂ペレット充填方法について、図１〜図３を参照して説明する。
本発明の実施形態に係る樹脂ペレット充填方法は、サイロ２０内の樹脂ペレットを輸送用容器３０に充填するための方法であって、前述した樹脂ペレット充填システムを用い、充填ノズル１０を介して、サイロ２０の排出口２１と輸送用容器３０の充填口３１を連通させた後、サイロ２０内の樹脂ペレットを輸送用容器３０に充填する。
このような樹脂ペレット充填方法によれば、輸送用容器３０の位置ずれを充填ノズル１０で吸収し、充填ノズル１０と輸送用容器３０の接続が容易になるだけでなく、上部パーツ１１と下部パーツ１２との間に形成される空間Ｓを利用し、充填中の樹脂ペレットから切粉や樹脂屑のような微粉体状異物を除去することができる。
【００３２】
また、樹脂ペレットの充填中は、クリーンブース４０内に吹き出されるクリーンエアの風量（ａ）ｍ３／ｍｉｎと、上部パーツ１１の排気ダクト１６を介して、外筒１４内からクリーンブース４０外に排気するエアの風量（ｂ）ｍ３／ｍｉｎと、樹脂ペレットの充填量に応じて、輸送用容器３０の充填口３１から排出されるエアの風量（ｃ）ｍ３／ｍｉｎとの関係が
（ｃ）≦（ｂ）＜（ａ）
を満たすことが好ましい。
このようにすると、充填中に輸送用容器３０の充填口３１から排出されるエア（樹脂ペレットの充填量に応じた量のエア）を確実に排気できるだけでなく、クリーンブース４０内を正圧に保ち、接続用開口部４１からクリーンブース４０内へ外気が流入することによる汚染を防止することができる。
【００３３】
また、樹脂ペレットの充填中、クリーンエア投入口３３から輸送用容器３０にクリーンエアを投入する場合は、クリーンブース４０内に吹き出されるクリーンエアの風量（ａ）ｍ３／ｍｉｎと、上部パーツ１１の排気ダクト１６を介して、外筒１４内からクリーンブース４０外に排気するエアの風量（ｂ）ｍ３／ｍｉｎと、樹脂ペレットの充填量に応じて、輸送用容器３０の充填口３１から排出されるエアの風量（ｃ）ｍ３／ｍｉｎと、クリーンエア投入口３３を介して、輸送用容器３０内に投入されるクリーンエアの風量（ｄ）ｍ３／ｍｉｎとの関係が
（ｃ）＋（ｄ）≦（ｂ）＜（ａ）
を満たすことが好ましい。
このようにすると、クリーンエア投入口３３から輸送用容器３０に投入されるクリーンエアによって、充填中の樹脂ペレットに含まれる異物を充填口３１から積極的に排出できるだけでなく、充填中に輸送用容器３０の充填口３１から排出されるエア（樹脂ペレットの充填量と、輸送用容器３０内に投入されるクリーンエアに相当する量のエア）を確実に排気でき、更には、クリーンブース４０内を正圧に保ち、接続用開口部４１からクリーンブース４０内へ外気が流入することによる汚染を防止することができる。
【００３４】
つぎに、樹脂ペレット充填方法の具体的な手順について説明する。ただし、クリーンエア投入口３３から輸送用容器３０にクリーンエアを投入しながら、樹脂ペレットの充填を行うものとする。
サイロ２０内の樹脂ペレットを輸送用容器３０に充填する場合は、輸送用容器３０が搭載された車両を一階部分の所定位置に停車させた後、輸送用容器３０の防塵キャップ３２を外し、輸送用容器３０をダンプアップさせる。
二階（クリーンブース４０）の作業員は、防塵キャップ３２やその周囲に付着した粉塵をクリーンエアガン９０、アルコール、クリーンワイパ（防塵タイプの布）などで除去する。一方、一階の作業員は、輸送用容器３０のクリーンエア投入口３３にクリーンエア投入装置７０を接続し、輸送用容器３０に対するクリーンエアの投入を開始する。輸送用容器３０に対するクリーンエアの投入を確認すると、二階の作業員は、充填口３１の防塵キャップ３２を開ける。このとき、充填口３１からエアが吹き出ているので、充填口３１が上方を向いて開いていても、容器内への粉塵やクリーンワイパ等の落下を防止できる。
【００３５】
つぎに、二階の作業員は、充填ノズル１０の可動筒１５を動かし、その下端部を輸送用容器３０の充填口３１に位置合わせする。このとき、可動筒１５は、前後方向、左右方向、上下方向及び傾き方向に所定量動き、良好な位置ずれ吸収作用を発揮するので、輸送用容器３０の充填口３１に対する接続操作を容易に行うことができる。
充填ノズル１０を輸送用容器３０の充填口３１に接続したら、サイロ２０から樹脂ペレットを排出し、輸送用容器３０に対する樹脂ペレットの充填を開始する。そして、充填中は、クリーンブース４０内に吹き出されるクリーンエアの風量（ａ）ｍ３／ｍｉｎと、上部パーツ１１の排気ダクト１６を介して、外筒１４内からクリーンブース４０外に排気するエアの風量（ｂ）ｍ３／ｍｉｎと、樹脂ペレットの充填量に応じて、輸送用容器３０の充填口３１から排出されるエアの風量（ｃ）ｍ３／ｍｉｎと、クリーンエア投入口３３を介して、輸送用容器３０内に投入されるクリーンエアの風量（ｄ）ｍ３／ｍｉｎとの関係が
（ｃ）＋（ｄ）≦（ｂ）＜（ａ）
を満たす状態を保つ。
【００３６】
すなわち、樹脂ペレットの充填を開始すると、輸送用容器３０の充填口３１からは、樹脂ペレットの充填量に応じてエア（ｃ）と、クリーンエア投入口３３から投入されたエア（ｄ）が吹き出すが、排気ダクト１６からの排気（ｂ）が無い場合、樹脂ペレットに含まれる切粉などの異物が充填ノズル１０から漏れ出し、クリーンブース４０内を汚染してしまう。そこで、輸送用容器３０の充填口３１から吹き出すエアの風量（ｃ）＋（ｄ）よりも多い排気量（ｂ）を確保することにより、クリーンブース４０内を清潔に保つ。
また、排気量（ｂ）が大き過ぎると、クリーンブース４０内のクリーン度（外気圧に対して正圧の状態）を保っているエア（ａ）まで排気（ｂ）として吸い込まれ、クリーンブース４０の中が負圧となり、接続用開口部４１から外気が流入してクリーンブース４０内を汚染してしまうため、クリーンブース４０内には、排気量（ｂ）よりも多いクリーンエア（ａ）を吹き出す。
なお、充填中に輸送用容器３０内にクリーンエアを投入すると、充填口３１から吹き出す風量が増し、空気抵抗によって樹脂パレットの落下速度が低下するので、充填に要する時間がその分長くなる。しかし、充填口３１から吹き出す風量が増えると、樹脂ペレットに含まれる切粉などの異物がエアと共に排気される機会が多くなるので、樹脂ペレットに含まれる異物の量を更に低減する効果が期待できる。
【００３７】
なお、本発明は、上記の実施形態に限定されず、特許請求の範囲に記載された範囲で適宜変更可能であることは勿論である。例えば、上記の実施形態では、輸送用容器としてローリを用いているが、コンテナ（円柱、直方体など、形状は任意）を使用してもよい。また、輸送用容器をダンプアップせず、水平状態のままで充填を行ってもよい。ただし、水平状態の輸送用容器に一箇所から樹脂ペレットを充填した場合には、樹脂ペレットの安息角により充填効率が低下するので、複数（例えば、３〜４）の充填口から同時又は順次充填することが好ましい。
【００３８】
また、本発明が対象とする樹脂ペレットは、低異物を要求するものであれば、材料に制限はない。例えば、現在、光ディスク用として大量生産されている低異物ポリカーボネート系樹脂ペレット、次世代光ディスクで使用される可能性がある低異物シクロヘキサン系樹脂ペレット、高電圧電線ケーブルの被覆材用として使用される低異物ポリエチレン系樹脂ペレットなどの充填に適用できる。
【産業上の利用可能性】
【００３９】
本発明は、サイロ内の樹脂ペレットをローリ、コンテナなどの輸送用容器に充填するための充填ノズル、樹脂ペレット充填システム及び樹脂ペレット充填方法に適用でき、特に、低異物を要求されるポリカーボネート系樹脂ペレットなどの充填に好適に用いることができる。
【図面の簡単な説明】
【００４０】
【図１】（ａ）は本発明の実施形態に係る充填ノズルの正面図、（ｂ）は本発明の実施形態に係る充填ノズルの上部パーツを示す一部断面正面図、（ｃ）は本発明の実施形態に係る充填ノズルの下部パーツを示す一部断面正面図である。
【図２】（ａ）は本発明の実施形態に係る充填ノズルの位置ずれ吸収作用（左右方向及び上下方向）を示す正面図、（ｂ）は本発明の実施形態に係る充填ノズルの位置ずれ吸収作用（傾き方向）を示す正面図である。
【図３】本発明の実施形態に係る樹脂ペレット充填システムの全体構成を示す説明図である。
【符号の説明】
【００４１】
１０  充填ノズル
１１  上部パーツ
１２  下部パーツ
１３  内筒
１４  外筒
１５  可動筒
１６  排気ダクト
２０  サイロ
２１  排出口
３０  輸送用容器
３１  充填口
３２  防塵キャップ
３３  クリーンエア投入口
４０  クリーンブース
４１  接続用開口部
５０  クリーンエア吹出装置
６０  排気ユニット
７０  クリーンエア投入装置
Ｓ    空間
【図１】
2007161285.tif 000003
【図２】
2007161285.tif 000004
【図３】
2007161285.tif 000005